(57)【要約】【課題】作業者が外枠１に運搬用の釘を打込むことで開閉検出機構５５が破損することを確実に防止すること。【解決手段】外枠１および開閉検出機構５５相互間に金属製の前ガード５６と金属製の後ガード５７の両者を介在したので、作業者がパチンコ遊技機の運搬時に外枠１を木材に接合しようとして釘を外枠１の内部の開閉検出機構５５に向って打込んだときには釘が前ガード５６および後ガード５７のいずれかに当るようになる。このため、釘が開閉検出機構５５に接触することがなくなるので、作業者が外枠１に運搬用の釘を打込むことで開閉検出機構５５が破損することを確実に防止できる。【選択図】図６
2007319213.tif 000002
【特許請求の範囲】
【請求項１】
パチンコホールの台島に設置される木製の外枠と、
前記外枠に前記外枠の前面を覆う閉鎖状態および前記外枠の前面を開放する開放状態相互間で開閉可能に設けられ、遊技盤を保持する内枠と、
前記内枠に開閉可能に設けられた開閉枠と、
前記外枠の内部に設けられ、前記開閉枠が前記内枠に対して開閉されることに応じて機械的な状態が変化する操作機構および操作機構の状態が変化することに応じて電気的な状態が変化するスイッチを有するスイッチ機構と、
前記外枠および前記スイッチ機構相互間に設けられ、前記スイッチ機構の一部または全部を前記外枠側から覆う金属製の保護部材を備えたことを特徴とするパチンコ遊技機。  
【発明の詳細な説明】
【技術分野】
【０００１】
本発明は、開閉枠の開閉を検出するスイッチ機構を有するパチンコ遊技機に関する。
【背景技術】
【０００２】
上記パチンコ遊技機には木製の外枠に内枠を装着し、内枠に開閉枠を装着した構成のものがある。外枠はパチンコホールの台島に設置されるものであり、前後面が開口する四角筒状をなしている。内枠は遊技盤を保持するものであり、外枠の前面を覆う閉鎖状態および外枠の前面を開放する開放状態相互間で遊技盤と共に開閉可能にされている。この構成の場合、外枠の内部にスイッチ機構を設け、開閉枠が開閉されることに連動してスイッチ機構の状態を変化させることに基づいて開閉枠の開閉を検出している。
【特許文献１】特開２００３−１７５２６３号公報
【発明の開示】
【発明が解決しようとする課題】
【０００３】
上記パチンコ遊技機を搬送するときには、図８に示すように、作業者が複数のパチンコ遊技機の外枠１０１のそれぞれに共通の木材１０２を通して運搬用の釘１０３を打込むことで複数のパチンコ遊技機を相互に連結することが行われている。この釘１０３が外枠１０１の内部のスイッチ機構に向って打込まれたときにはスイッチ機構が破損する虞があるので、従来では「釘打ち禁止」と記されたシールを外枠１０１のうちスイッチ機構の上方の危険領域に貼付し、釘１０３を危険領域に打込まないように作業者に注意を促していた。この従来の対策は作業者の注意力に頼ってスイッチ機構の破損を防止するものであり、例えばパチンコ遊技機の運搬作業が深夜に及んで作業者の注意力が散漫になることを考慮したときには十分であるとは言い難い。
【０００４】
本発明は上記事情に鑑みてなされたものであり、その目的は、作業者が外枠に運搬用の釘を打込むことでスイッチ機構が破損することを確実に防止することができるパチンコ遊技機を提供することにある。
【課題を解決するための手段】
【０００５】
請求項１記載のパチンコ遊技機は［１］外枠〜［５］保護部材を備えたところに特徴を有している。
［１］外枠はパチンコホールの台島に設置されるものであり、木材から構成されている。図１の符号１は外枠の一例である。
［２］内枠は外枠に設けられたものであり、外枠の前面を覆う閉鎖状態および外枠の前面を開放する開放状態相互間で開閉可能にされている。図２の符号３は内枠の一例であり、図２は内枠３を閉鎖状態で示している。この内枠は遊技盤を保持するものであり、図３の符号２１は遊技盤の一例である。
［３］開閉枠は内枠に開閉設けられたものである。図１の前枠１６および図４の後枠３７のそれぞれは開閉枠の一例であり、図１は前枠１６を閉鎖状態で示し、図４は後枠３７を閉鎖状態で示している。
［４］スイッチ機構は外枠の内部に設けられたものであり、開閉枠が内枠に対して開閉されることに応じて機械的な状態が変化する操作機構および操作機構の状態が変化することに応じて電気的な状態が変化するスイッチを有している。図６の符号５８は操作機構の一例であり、ロッドカバー４６と前ホルダ４７とロッド４８と後ホルダ４９とスプリング５１とプランジャ５４を有している。図６のスイッチ本体５９はスイッチの一例であり、可動接点および固定接点をケース内に収納することから構成されている。図６の開閉検出機構５５は操作機構５８およびスイッチ本体５９から構成されるスイッチ機構に相当する。
［５］保護部材は外枠およびスイッチ機構相互間に設けられたものであり、スイッチ機構の一部または全部を外枠側から覆う金属を材料に形成されている。このため、作業者がパチンコ遊技機の運搬時に外枠を木材に接合しようとして釘を外枠の内部のスイッチ機構に向って打込んだときには釘が保護部材に当る。このため、釘がスイッチ機構に接触することがなくなるので、作業者が外枠に運搬用の釘を打込むことでスイッチ機構が破損することを確実に防止できる。図６の前ガード５６および図６の後ガード５７のそれぞれは保護部材の一例であり、前ガード５６はロッドカバー４６と前ホルダ４７とロッド４８の前端部のそれぞれを外枠１側から覆い、後ガード５７は後ホルダ４９とロッド４８の後端部とプランジャ５４とスイッチ本体５９のそれぞれを外枠１側から覆う。
【発明を実施するための最良の形態】
【０００６】
【実施例１】
【０００７】
図１の外枠１はパチンコホールの台島に設置されるものである。この外枠１は木材を前後面が開口する四角筒状に接合することから構成されたものであり、外枠１の前端面には下端部に位置して横長な長方形状の幕板２が固定されている。この外枠１には、図２に示すように、合成樹脂製の内枠３が左側部の垂直な軸４を中心に回動可能に装着されている。この内枠３は外枠１の前面を覆う閉鎖状態および外枠１の前面を開放する開放状態に軸４を中心に相互に回動操作されるものであり、図２は内枠３を閉鎖状態で示している。この内枠３は前後面が開口する四角筒状をなすものであり、内枠３には左上隅部および右上隅部のそれぞれに位置してスピーカ５が固定されている。
【０００８】
内枠３の下端部には横長な長方形状の台板６が形成されており、台板６の前面には発射レール７が固定されている。この発射レール７は右から左へ向って上昇する傾斜状をなすものであり、断面Ｖ字状をなしている。この発射レール７の右端部にはストッパベース８が形成されている。このストッパベース８は発射レール７に対して直交する平板状をなすものであり、ストッパベース８には下端部に位置して貫通孔状の打球孔が形成され、打球孔の上方に位置して台形状のストッパ８ａが固定されている。
【０００９】
台板６の前面には発射レール７の下方に位置して円柱状の発射ソレノイド９が固定されている。この発射ソレノイド９はロータリーソレノイドからなるものであり、前後方向へ延びる出力軸を有している。この発射ソレノイド９の出力軸には打球槌１０が連結されており、発射ソレノイド９のオフ状態では打球槌１０が発射レール７から離間する待機位置（図２の実線参照）に回動操作され、発射ソレノイド９のオン状態では打球槌１０が発射レール７に接近する打球位置（図２の二点差線参照）に回動操作される。この打球槌１０の先端部には突状の打球部１１が形成されており、打球部１１は打球槌１０が打球位置に回動操作されることに基づいてストッパ８の打球孔を通して発射レール７上に侵入し、打球槌１０が待機位置に回動操作されることに基づいて発射レール７上から退避する。
【００１０】
内枠３の前面側には、図２に示すように、幕板２の上方に位置して横長な長方形状の下皿板１２が固定されている。この下皿板１２は台板６の前方に配置されたものであり、下皿板１２の前面には下皿１３が固定されている。この下皿１３は遊技球が貯留されるものであり、上面が開口する容器状をなしている。この下皿１３の右方にはハンドル台１４が配置されている。このハンドル台１４は下皿板１２の前面に固定されたものであり、ハンドル台１４には発射ハンドル１５が装着されている。この発射ハンドル１５は前後方向へ延びる軸を中心に回動可能にされたものであり、発射ハンドル１５が予め決められた原位置から時計回り方向へ回動操作されたときには発射ソレノイド９に駆動電源が与えられることに基づいて打球槌１０が待機位置および打球位置相互間で往復動を繰返す。
【００１１】
内枠３の前面側には、図１に示すように、合成樹脂製の前枠１６が左側部の垂直な軸１７を中心に回動可能に装着されている。この前枠１６は開閉枠に相当するものであり、下皿板１２は前枠１６の下方に配置されている。この前枠１６の軸１７は内枠３の軸４と同一の軸線上に設定されたものであり、前枠１６は内枠３の前面を閉鎖する閉鎖状態および内枠３の前面を開放する開放状態相互間で軸１７を中心に回動可能にされている。この前枠１６の左上隅部および右上隅部のそれぞれには円形状のスピーカカバー１８が固定されており、左上隅部のスピーカカバー１８は前枠１６の閉鎖状態で内枠３の左上隅部のスピーカ５の前方に配置され、右上隅部のスピーカカバー１８は前枠１６の閉鎖状態で内枠３の右上隅部のスピーカ５の前方に配置される。
【００１２】
前枠１６の前面には、図１に示すように、上皿１９が固定されている。この上皿１９は遊技球が貯留されるものであり、上面が開口する容器状をなしている。この上皿１９内の遊技球は上皿１９内から発射レール７上の右端部に１個単位で移送されるものであり、ストッパベース８は発射レール７上の右端部に移送された遊技球を係止することに基づいて遊技球が発射レール７の右端部から転落することを阻止する。この状態では遊技球が発射レール７の前側部と発射レール７の後側部とストッパ８ａの下端部の３点に接触する。この遊技球の移送は打球槌１０が打球位置から待機位置に回動することに電気的に連動して移送機構が行うものであり、打球槌１０の打球部１１は打球槌１０が待機位置から打球位置に回動することに基づいてストッパベース８が係止する遊技球を打球孔を通して叩き、打球部１１が叩いた遊技球は発射レール７に沿って右から左へ転動した後に発射レール７の左端部から発射される。
【００１３】
内枠３には、図２に示すように、台板６の上方に位置して空間状の遊技盤収納部２０が形成されており、遊技盤収納部２０内には、図３に示すように、遊技盤２１が収納されている。この遊技盤２１は透明な合成樹脂製の板からなるものであり、遊技盤２１の前面には内レール２２と外レール２３と球止め部材２４のそれぞれが固定されている。内レール２２は上面が開口する円弧状をなすものであり、外レール２３は内レール２２の外周部に配置され、球止め部材２４は内レール２２の右端部および外レール２３の右端部相互間の隙間を塞いでいる。
【００１４】
内レール２２および外レール２３相互間には左側部に位置して円弧状の発射通路２５が形成されており、発射通路２５の上端部には出口２６が形成され、発射通路２５の下端部には入口２７が形成されている。この入口２７は発射レール７の左端部に隙間状の球回収口２８を介して対向しており、遊技球が発射レール７の左端部から限度値を上回る強い勢いで発射されたときには球回収口２８を飛び越えて発射通路２５の入口２７内に進入し、発射通路２５に沿って円弧状の軌跡を描きながら上昇した後に出口２６から放出される。この球回収口２８は下皿１３内に球回収通路を介して接続されており、遊技球が発射レール７の左端部から限度値以下の弱い勢いで発射されたときには球回収口２８内に落下し、球回収口２８から球回収通路を通して下皿１３内に排出される。
【００１５】
前枠１６には、図１に示すように、円形状の貫通孔２９が形成されている。この貫通孔２９の内周面には透明な窓３０が固定されており、窓３０は前枠１６の閉鎖状態で遊技盤２１の遊技領域３１を前方から視覚的に認識可能に覆う。この遊技領域３１は、図３に示すように、内レール２２と外レール２３と球止め部材２４によって囲まれた領域のうち発射通路２５を除く円形状の部分を称するものであり、発射通路２５の出口２６から放出された遊技球が転動可能な最大範囲に相当する。この遊技領域３１内には複数の障害釘が固定されており、発射通路２５の出口２６から遊技領域３１内に放出された遊技球は障害釘に当りながら遊技領域３１内を転動する。
【００１６】
遊技盤２１の遊技領域３１内には始動口３２および特別入賞口３３が固定されている。始動口３２は上面が開口するポケット状をなすものであり、遊技領域３１内を転動する遊技球は始動口３２内に上面から入賞可能にされている。特別入賞口３３は前面が開口する四角筒状をなすものである。この特別入賞口３３には扉３４が下端部の水平な軸３５を中心に回動可能に装着されており、扉３４は特別入賞口ソレノイドに連結されている。この扉３４は特別入賞口ソレノイドの断電状態で垂直な閉鎖状態になることに基づいて特別入賞口３３の前面を遊技球が入賞不能に閉鎖するものであり、図３は扉３４を閉鎖状態で示している。この扉３４は特別入賞口ソレノイドの通電状態で前方へ水平に倒れた開放状態に回動するものであり、扉３４の開放状態では遊技領域３１内を転動する遊技球が扉３４に乗って特別入賞口３３内に前面から転がり込むことが許容される。遊技盤２１の遊技領域３１内にはアウト孔３６が形成されている。このアウト孔３６は内レール２２の最低部に配置されたものであり、始動口３２内および特別入賞口３３内のいずれにも入賞しなかった遊技球は内レール２２に沿ってアウト孔３６内に転がり込む。
【００１７】
内枠３の後面側には、図４に示すように、合成樹脂製の後枠３７が左側部の垂直な軸３８を中心に回動可能に装着されている。この後枠３７は内枠３の後面を覆う閉鎖状態および内枠３の後面を開放する開放状態相互間で軸３８を中心に回動操作されるものであり、図４は後枠３７を閉鎖状態で示している。この後枠３７は開閉枠に相当するものであり、後枠３７の後面には、図５に示すように、上端部に位置して上面が開口する容器状の球タンク３９が接合されている。この球タンク３９は遊技球が貯留されたものであり、賞球払出装置４０を介して上皿１９に接続されている。この賞球払出装置４０は球タンク３９内の遊技球を上皿１９内に払出すものであり、後枠３７の後面に接合されている。
【００１８】
後枠３７の後面には、図５に示すように、下端部に位置して賞球制御回路ボックス４１が接合されており、賞球制御回路ボックス４１内には賞球制御回路が収納されている。この賞球制御回路はマイクロコンピュータを主体に構成されたものであり、遊技球が始動口３２内および特別入賞口３３内のいずれかに入賞したときには賞球払出装置４０を駆動制御することに基づいて球タンク３９内の遊技球を上皿１９内に賞品球として払出す。後枠３７の後面には下端部に位置してメイン制御回路ボックス４２が接合されており、メイン制御回路ボックス４２内にはメイン制御回路が収納されている。このメイン制御回路はマイクロコンピュータを主体に構成されたものであり、遊技球が始動口３２内に入賞することに基づいて大当りおよび外れの判定処理を行い、大当りを判定したときには特別入賞口ソレノイドを駆動制御することに基づいて特別入賞口３３を開放する大当り遊技を行う。
【００１９】
遊技盤２１の後面側には、図３に示すように、図柄表示器４３が接合されており、後枠３７の閉鎖状態では図柄表示器４３が遊技盤２１および後枠３７相互間に配置される。この図柄表示器４３は液晶表示器から構成されたものであり、図柄表示器４３の表示領域は前方から前枠１６の窓３０および遊技盤２１の双方を通して視覚的に認識可能にされている。この図柄表示器４０の後面側には図柄制御回路が接合されている。この図柄制御回路はマイクロコンピュータを主体に構成されたものであり、メイン制御回路が大当りを判定したときには大当りが判定されたことを遊技者に報知する装飾図柄遊技の映像を図柄表示器４３の表示領域に表示し、メイン制御回路が外れを判定したときには外れが判定されたことを遊技者に報知する装飾図柄遊技の映像を図柄表示器４３の表示領域に表示する。後枠３７の後面には、図４に示すように、センタカバー４４が装着されており、センタカバー４４は図柄制御回路を後方から覆っている。
【００２０】
内枠３の上端部には、図６の（ａ）に示すように、垂直な板状の台板４５が形成されている。この台板４５には合成樹脂製のロッドカバー４６が形成されており、ロッドカバー４６の前端部には合成樹脂製の前ホルダ４７が形成されている。これらロッドカバー４６および前ホルダ４７のそれぞれは前後方向へ延びる円筒状をなすものであり、前ホルダ４７の内径寸法はロッドカバー４６の内径寸法に比べて小さく設定されている。この前ホルダ４７の内周面には円柱状をなす合成樹脂製のロッド４８が前後方向へスライド可能に挿入されており、ロッド４８はロッドカバー４６によって覆われている。
【００２１】
台板４５には前ホルダ４７の後方に位置して合成樹脂製の後ホルダ４９が固定されている。この後ホルダ４９は前後方向へ延びる円筒状をなすものであり、後ホルダ４９の内周面にはロッド４８が前後方向へスライド可能に挿入され、ロッド４８の前端部は前ホルダ４７の前方に突出し、ロッド４８の後端部は後ホルダ４９の後方に突出している。このロッド４８の外周面には円環状をなす合成樹脂製のストッパ５０が形成されており、ロッド４８の外周面には後ホルダ４９およびストッパ５０相互間に位置してスプリング５１が挿入されている。このスプリング５１は圧縮コイルスプリングからなるものであり、ストッパ５０を介してロッド４８を前方へ付勢している。
【００２２】
前枠１６には垂直な板状の操作プレート５２が形成されている。この操作プレート５２は、図６の（ａ）に示すように、前枠１６の閉鎖状態でロッド４８の前端面を後方へ押圧するものであり、前枠１６の閉鎖状態ではロッド４８がスプリング５１のばね力に抗して後退位置に移動する。この操作プレート５２は、図６の（ｂ）に示すように、前枠１６の開放状態でロッド４８の前端面から離間するものであり、前枠１６の開放状態ではロッド４８がスプリング５１のばね力で前進位置に移動する。この状態ではストッパ５０がロッドカバー４６に接触し、ロッド４８が前進位置に拘束される。
【００２３】
後枠３７の前面には、図６の（ｂ）に示すように、上端部に位置して枠スイッチ５３が固定されている。この枠スイッチ５３は自己復帰形のプッシュスイッチからなるものであり、前後方向へ直線的に移動可能なプランジャ５４およびスイッチ本体５９を有している。このスイッチ本体５９は可動接点および固定接点をケース内に収納してなるものであり、プランジャ５４が後方の押込み位置に押圧操作されることに基づいてオフされる。このスイッチ本体５９はスイッチに相当するものであり、プランジャ５４から操作力が除去されたときにはプランジャ５４が前方の非押込み位置に自己復帰することに基づいてオンされる。
【００２４】
枠スイッチ５３のプランジャ５４とロッドカバー４６と前ホルダ４７とロッド４８と後ホルダ４９とスプリング５１は操作機構５８を構成するものである。この操作機構５８はスイッチ本体５９と共にスイッチ機構に相当する開閉検出機構５５（図６のａ参照）を構成するものであり、下記［１］〜［４］のそれぞれに示すように、前枠１６の開閉状態および後枠３７の開閉状態のそれぞれに応じて電気的な状態が変化する。
［１］前枠１６および後枠３７のそれぞれが内枠３に対して閉鎖された状態では、図６の（ａ）に示すように、ロッド４８が前枠１６の操作プレート５２によって後退位置に操作される。この状態では枠スイッチ５３のプランジャ５４がロッド４８によって押込み位置に操作され、枠スイッチ５３がオフされる。
［２］前枠１６および後枠３７のそれぞれが内枠３に対して開放された状態では、図６の（ｂ）に示すように、ロッド４８がスプリング５１のばね力で前進位置に位置決めされ、枠スイッチ５３のプランジャ５４がロッド４８から離間する。この状態では枠スイッチ５３のプランジャ５４が非押込み位置に突出し、枠スイッチ５３がオンされる。
［３］前枠１６が内枠３に対して閉鎖され後枠３７が内枠３に対して開放された状態では、図７の（ａ）に示すように、ロッド４８が前枠１６の操作プレート５２によって後退位置に操作されるものの枠スイッチ５３のプランジャ５４がロッド４８から離間する。この状態では枠スイッチ５３のプランジャ５４が非押込み位置に突出し、枠スイッチ５３がオンされる。
［４］前枠１６が内枠３に対して開放され後枠３７が内枠３に対して閉鎖された状態では、図７の（ｂ）に示すように、ロッド４８がスプリング５１のばね力で前進位置に位置決めされる。この状態では枠スイッチ５３のプランジャ５４が非押込み位置に突出し、枠スイッチ５３がオンされる。
【００２５】
枠スイッチ５３はメイン制御回路に接続されており、メイン制御回路は枠スイッチ５３がオンされていることを判断したときには枠ランプを点灯する。この枠ランプは前枠１６に装着されたものであり、メイン制御回路は枠ランプを点灯することに基づいて前枠１６および後枠３７のいずれかが開放されていることをパチンコホールの従業員に報知する。
【００２６】
内枠３には、図６の（ｂ）に示すように、保護部材に相当する前ガード５６が固定されている。この前ガード５６はロッドカバー４６と前ホルダ４７とロッド４８の前端部のそれぞれを上方の外枠１側から覆うものであり、円弧状の金属板から構成されている。内枠３には保護部材に相当する後ガード５７が固定されている。この後ガード５７は、図６の（ｂ）に示すように、後枠３７の開放状態で後ホルダ４９とロッド４８の後端部のそれぞれを上方の外枠１側から覆い、図６の（ａ）に示すように、後枠３７の閉鎖状態で後ホルダ４９とロッド４８の後端部と枠スイッチ５３のプランジャ５４と枠スイッチ５３のスイッチ本体５９のそれぞれを上方の外枠１側から覆うものであり、円弧状の金属板から構成されている。即ち、前ガード５６および後ガード５７のそれぞれは開閉検出機構５５を上方から部分的に覆うものであり、開閉検出機構５５は前ガード５６および後ガード５７の双方によって全てが上方から覆われている。
【００２７】
上記実施例１によれば次の効果を奏する。
外枠１およびロッド４８の後端部相互間と外枠１および後ホルダ４９相互間と外枠１および枠スイッチ５３のプランジャ５４相互間と外枠１および枠スイッチ５３のスイッチ本体５９相互間のそれぞれに金属製の後ガード５７を介在したので、作業者がパチンコ遊技機の運搬時に外枠１を木材に接合しようとして釘をロッド４８の後端部と後ホルダ４９と枠スイッチ５３のプランジャ５４と枠スイッチ５３のスイッチ本体５９のいずれかに向けて打込んだときには釘が後ガード５７に当るようになる。このため、釘がロッド４８の後端部と後ホルダ４９と枠スイッチ５３のプランジャ５４と枠スイッチ５３のスイッチ本体５９のいずれにも接触することがなくなるので、作業者が外枠１に運搬用の釘を打込むことでロッド４８と後ホルダ４９と枠スイッチ５３のプランジャ５４と枠スイッチ５３のスイッチ本体５９のいずれかが破損することを確実に防止できる。
【００２８】
外枠１およびロッドカバー４６相互間と外枠１および前ホルダ４７相互間と外枠１およびロッド４８の前端部相互間のそれぞれに前ガード５６を設けた。このため、作業者がパチンコ遊技機の運搬時に外枠１を木材に接合しようとして釘をロッドカバー４６と前ホルダ４７とロッド４８の前端部のいずれかに向けて打込んだときには釘が前ガード５６に当るようになるので、作業者が外枠１に運搬用の釘を打込むことでロッドカバー４６と前ホルダ４７とロッド４８のいずれかが破損することを確実に防止できる。
【００２９】
後ガード５７を円弧状に形成した。このため、釘が後ガード５７に当ることに基づいて釘の進入方向が後ガード５７の傾斜に沿って斜めに変わるので、釘が後ガード５７を貫通してロッド４８の後端部と後ホルダ４９と枠スイッチ５３のプランジャ５４と枠スイッチ５３のスイッチ本体５９のいずれかに当ることも防止できる。この効果は前ガード５６についても同様である。
【００３０】
上記実施例１においては、前ガード５６および後ガード５７のそれぞれを三角形状に形成しても良い。
上記実施例１においては、前ガード５６および後ガード５７のそれぞれを円筒状に形成しても良い。
【００３１】
上記実施例１においては、前ガード５６を前枠１６に接合し、後ガード５７を後枠３７に接合しても良い。
上記実施例１においては、前枠１６が開放状態および閉鎖状態のいずれにあるかを非接触形のスイッチによって検出しても良い。
【００３２】
上記実施例１においては、前ガード５６および後ガード５７のいずれか一方を廃止しても良い。即ち、開閉検出機構５５の一部のみを金属製の保護部材によって覆っても良い。
上記実施例１においては、後枠３７を内枠３に開閉不能に接合しても良い。
【図面の簡単な説明】
【００３３】
【図１】実施例１を示す図（パチンコ遊技機の全体構成を示す前面図）
【図２】パチンコ遊技機を前枠および遊技盤のそれぞれを除去した状態で示す前面図
【図３】パチンコ遊技機を前枠の除去状態で示す前面図
【図４】パチンコ遊技機の全体構成を示す後面図
【図５】後枠を示す後面図
【図６】図１のＸ線に沿う断面図
【図７】図１のＸ線に沿う断面図
【図８】パチンコ遊技機の運搬方法を説明するための図
【符号の説明】
【００３４】
１は外枠、３は内枠、１６は前枠、２１は遊技盤、３７は後枠、５３は枠スイッチ、５５は開閉検出機構、５６は前ガード、５７は後ガード、５８は操作機構、５９はスイッチ本体を示している。
【図１】
2007319213.tif 000003
【図２】
2007319213.tif 000004
【図３】
2007319213.tif 000005
【図４】
2007319213.tif 000006
【図５】
2007319213.tif 000007
【図６】
2007319213.tif 000008
【図７】
2007319213.tif 000009
【図８】
2007319213.tif 000010